(57)【特許請求の範囲】
【請求項１】
会議に参加した参加者が使用する各携帯機器のバッテリ消費電力量であって、会議での使用により消費したバッテリ消費電力量を会議を行った会議室ごとに記憶する共に、各参加者の識別情報と該各参加者が使用する携帯機器の識別情報とを対応付けて記憶した記憶手段と、
会議スケジュールを管理するスケジュール管理装置から送信される、開催予定の会議が行われる会議室の情報と、会議の参加者の情報と、会議の予定会議時間とを会議情報として取得する第１取得手段と、
各携帯機器から通知される、携帯機器のバッテリに充電された充電電力量を取得する第２取得手段と、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定する判定手段と、
前記判定手段により携帯機器の数が所定数以上あると判定された場合に、前記会議情報を参照して前記判定した会議室での予定会議時間を求め、求めた予定会議時間の間、携帯機器をバッテリ駆動するために必要な電力量を算出する算出手段と、
前記判定した会議室で開催予定の会議に参加する参加者が使用する携帯機器であって、前記第２取得手段が取得した携帯機器の充電電力量が、前記算出手段が算出した電力量よりも少ない携帯機器を検出する検出手段と、
前記検出手段が検出した携帯機器に、当該携帯機器のバッテリの充電量が不足している旨を通知する通知手段と、
を有することを特徴とする電源管理装置。
【請求項２】
前記携帯機器が商用電源に接続された際に、前記携帯機器から商用電源に接続した旨の通知を受信する受信手段と、
前記第２取得手段が取得した携帯機器の充電電力量が、前記算出手段が算出した電力量よりも多い携帯機器が商用電源に接続されたと判定すると、前記携帯機器に対しバッテリで動作するように指示する指示信号を出力する出力手段と、
を有する請求項１記載の電源管理装置。
【請求項３】
コンピュータによって実行される電源管理方法であって、
会議に参加した参加者が使用する携帯機器から送信される、該携帯機器のバッテリ消費電力量であって、会議での使用により消費したバッテリ消費電力量を取得して、記憶手段に記憶させ、
会議スケジュールを管理するスケジュール管理装置から送信される、開催予定の会議が行われる会議室の情報と、会議の参加者の情報と、会議の予定会議時間とを会議情報として取得し、
各携帯機器から通知される、携帯機器のバッテリに充電された充電電力量を取得し、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、
携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、
前記判定した会議室で開催予定の会議に参加する参加者が使用する携帯機器であって、携帯機器から取得した充電電力量が、算出した電力量よりも少ない携帯機器を検出し、
検出した携帯機器に、当該携帯機器のバッテリの充電量が不足している旨を通知する、電源管理方法。
【請求項４】
会議に参加した参加者が使用する携帯機器から送信される、該携帯機器のバッテリ消費電力量であって、会議での使用により消費したバッテリ消費電力量を取得して、記憶手段に記憶させ、
会議スケジュールを管理するスケジュール管理装置から送信される、開催予定の会議が行われる会議室の情報と、会議の参加者の情報と、会議の予定会議時間とを会議情報として取得し、
各携帯機器から通知される、携帯機器のバッテリに充電された充電電力量を取得し、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、
携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、
前記判定した会議室で開催予定の会議に参加する参加者が使用する携帯機器であって、携帯機器から取得した充電電力量が、算出した電力量よりも少ない携帯機器を検出し、
検出した携帯機器に、当該携帯機器のバッテリの充電量が不足している旨を通知する、処理をコンピュータに実行させるプログラム。
【発明の詳細な説明】
【技術分野】
【０００１】
本件は、電源管理装置、電源管理方法及びプログラムに関する。
【背景技術】
【０００２】
近年の会議では、ノート型パーソナルコンピュータ（以下、ノートＰＣと略記する）、タブレット端末、ＰＤＡ（Personal Digital Assistant）等の携帯機器が会議における必要不可欠な機器となりつつある。例えば、会議参加者は、携帯機器を会議室に持参し、持参した携帯機器を、会議内容のレビューや議事録の作成に使用している。また、携帯機器とプロジェクター等の投影機器とを接続して、事前に作成し、携帯機器に保存しておいた資料を用いてプレゼンテーションを行ったりもしている。
【０００３】
会議に使用される携帯機器の数が増えてくると、会議室の備えるプラグ受けの数が充分であるか否かが問題となる。このため、各会議室のプラグ受けの数を会議の参加者が事前に認識していることが好ましいが、会議に使用される会議室は、企業規模が大きくなれば会議室の数も多くなり、また、会議室として使用される部屋自体が変更になる場合もある。また、テレビ会議装置やプロジェクター等の会議に使用される機器が会議室に新たに導入されると、この機器を導入した会議室で使用可能なプラグ受けの数も変わってしまう。したがって、各会議室に設けられたプラグ受けの数を調べて管理するのは手間がかかるものとなる。
【０００４】
動画撮影用の機器の動作撮影時間を、機器の持ち運び時間と、過去の撮影時間とに基づいて予測する技術が知られている（例えば、特許文献１）。また、パソコンへ供給する電力を蓄電する蓄電器に所定量の電力が蓄積されると、パソコンの電源を商用電源から蓄電器に切り替える技術が知られている（例えば、特許文献２）。また、充電池の現時点の蓄電量と、各曜日の消費電力量とから携帯通信端末の使用可能時間を算出する技術が知られている（例えば、特許文献３）。
【先行技術文献】
【特許文献】
【０００５】
【特許文献１】特開２００４−１６６１３０号公報
【特許文献２】特開２００９−２０５６６２号公報
【特許文献３】特開２０１０−２７８６４５号公報
【発明の概要】
【発明が解決しようとする課題】
【０００６】
上述のように各会議室のプラグ受けの数を調べて管理するのは手間がかかる作業となる。そこで、過去に会議室を利用した利用者の使用するノートＰＣのバッテリ残量から、会議室が、携帯機器をバッテリ駆動させる可能性が高い会議室であるか否かを判定できれば、会議の参加者に事前にバッテリを充電するように通知することも可能となる。
【０００７】
本発明は上記事情に鑑みてなされたものであり、会議に使用する会議室がバッテリ駆動させる可能性が高い会議室であるか否かを事前に判定して、会議前に事前に会議参加者にバッテリの充電を通知することができる電源管理装置、電源管理方法及びプログラムを提供することを目的とする。
【課題を解決するための手段】
【０００８】
本明細書に記載の電源管理装置は、会議に参加した参加者が使用する各携帯機器のバッテリ消費電力量であって、会議での使用により消費したバッテリ消費電力量を会議を行った会議室ごとに記憶する共に、各参加者の識別情報と該各参加者が使用する携帯機器の識別情報とを対応付けて記憶した記憶手段と、会議スケジュールを管理するスケジュール管理装置から送信される、開催予定の会議が行われる会議室の情報と、会議の参加者の情報と、会議の予定会議時間とを会議情報として取得する第１取得手段と、各携帯機器から通知される、携帯機器のバッテリに充電された充電電力量を取得する第２取得手段と、前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定する判定手段と、前記判定手段により携帯機器の数が所定数以上あると判定された場合に、前記会議情報を参照して前記判定した会議室での予定会議時間を求め、求めた予定会議時間の間、携帯機器をバッテリ駆動するために必要な電力量を算出する算出手段と、前記判定した会議室で開催予定の会議に参加する参加者が使用する携帯機器であって、前記第２取得手段が取得した携帯機器の充電電力量が、前記算出手段が算出した電力量よりも少ない携帯機器を検出する検出手段と、前記検出手段が検出した携帯機器に、当該携帯機器のバッテリの充電量が不足している旨を通知する通知手段とを備える。
【０００９】
本明細書に記載の電源管理方法は、会議に参加した参加者が使用する携帯機器から送信される、該携帯機器のバッテリ消費電力量であって、会議での使用により消費したバッテリ消費電力量を取得して、記憶手段に記憶させ、会議スケジュールを管理するスケジュール管理装置から送信される、開催予定の会議が行われる会議室の情報と、会議の参加者の情報と、会議の予定会議時間とを会議情報として取得し、各携帯機器から通知される、携帯機器のバッテリに充電された充電電力量を取得し、前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、前記判定した会議室で開催予定の会議に参加する参加者が使用する携帯機器であって、携帯機器から取得した充電電力量が、算出した電力量よりも少ない携帯機器を検出し、検出した携帯機器に、当該携帯機器のバッテリの充電量が不足している旨を通知する処理をコンピュータが実行する電源管理方法である。
【００１０】
本明細書に記載のプログラムは、会議に参加した参加者が使用する携帯機器から送信される、該携帯機器のバッテリ消費電力量であって、会議での使用により消費したバッテリ消費電力量を取得して、記憶手段に記憶させ、会議スケジュールを管理するスケジュール管理装置から送信される、開催予定の会議が行われる会議室の情報と、会議の参加者の情報と、会議の予定会議時間とを会議情報として取得し、各携帯機器から通知される、携帯機器のバッテリに充電された充電電力量を取得し、前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、前記判定した会議室で開催予定の会議に参加する参加者が使用する携帯機器であって、携帯機器から取得した充電電力量が、算出した電力量よりも少ない携帯機器を検出し、検出した携帯機器に、当該携帯機器のバッテリの充電量が不足している旨を通知する、処理をコンピュータに実行させるプログラムである。
【発明の効果】
【００１１】
本明細書に記載の電源管理装置、電源管理方法及びプログラムは、バッテリ駆動させる可能性が高い会議室を事前に判定して、会議前に会議参加者にバッテリを充電するように通知することができるという効果を奏する。
【図面の簡単な説明】
【００１２】
【図１】システム構成の一例を示す図である。
【図２】会議スケジュール管理テーブルの一例を示す図である。
【図３】電源管理サーバ及びノートＰＣのハードウェア構成の一例を示す図である。
【図４】プログラム制御によって実現される電源管理サーバの機能ブロックの一例を示す図である。
【図５】社員管理テーブルの一例を示す図である。
【図６】ノートＰＣ管理テーブルの一例を示す図である。
【図７】会議室別利用者管理テーブルの一例を示す図である。
【図８】会議室別バッテリ電力消費管理テーブルの一例を示す図である。
【図９】プログラム制御によって実現されるノートＰＣの機能ブロックの一例を示す図である。
【図１０】ノートＰＣの動作手順の一例を示すフローチャートである。
【図１１】電源管理サーバの動作手順の一例を示すフローチャートである。
【発明を実施するための形態】
【００１３】
添付図面を参照しながら本発明の好適な実施例を説明する。
【００１４】
図１に、本実施例のシステム構成の一例を示す。図１に示すシステムは、複数のノートＰＣ２０と、スケジュール管理サーバ４０と、電源管理サーバ（本発明の電源管理装置に該当する）６０とを備える。各装置は、ＬＡＮ（Local Area Network）、ＷＡＮ（Wide Area Network）、ＰＳＴＮ（Public Switched Telephone Networks：公衆交換電話網）、インターネット等のネットワーク１０に接続されている。なお、本実施例では、携帯機器としてノートＰＣ２０を例に挙げて説明するが、携帯機器は、バッテリを備え、バッテリによって動作可能であればよい。例えば、タブレット型のコンピュータであってもよいし、ＰＤＡ等の携帯情報端末であってもよい。
【００１５】
スケジュール管理サーバ４０は、会議が開かれる各会議室の会議スケジュールを管理するサーバである。ここで、図２を参照しながらスケジュール管理サーバ４０の記憶部（不図示）に作成される会議スケジュール管理テーブルの一例を説明する。なお、この会議スケジュール管理テーブルに登録されるデータは、例えば、会議の書記役の社員等によってスケジュール管理サーバ４０に入力される。会議の書記役の社員は、自身の使用するノートＰＣ２０を操作、又はスケジュール管理サーバ４０を直接操作して、以下に示すデータを入力する。
会議スケジュール管理テーブルは、会議室を識別する会議室ＩＤ（identifier）と、会議室名と、会議の開催日と、会議名（タイトル）と、会議開始予定時刻と、会議終了予定時刻と、会議に参加する参加社員の社員ＩＤとを対応付けて登録したものである。なお、以下では、会議スケジュール管理テーブルに登録された全情報を会議スケジュール情報と呼び、１会議室に設定された１会議の記録を会議情報と呼ぶ。例えば、会議室ＩＤ「bj-253」の会議室Ａで１月２５日に開かれる、会議名「冬の電力消費削減計画」、会議開始予定時刻１０時、会議終了時刻１５時、参加社員の社員ＩＤ「ｔｈｓ−ｒｓ０−２５９、ｒｇｕ−ｋｊｎ−３６９、・・・」が１つの会議情報となる。スケジュール管理サーバ４０は、所定時間ごと（例えば、１日に１回）に、会議スケジュール情報を電源管理サーバ６０に送信する。
【００１６】
次に、電源管理サーバ６０について説明する。
まず、図３を参照しながら電源管理サーバ６０のハードウェア構成の一例について説明する。電源管理サーバ６０は、ハードウェアとして、制御部６１、通信インターフェース６５、操作部６６、入力インターフェース６７、グラフィックインターフェース６８、表示部６９、ハードディスク装置（以下、ＨＤＤ：Hard disk driveと表記する）７０を備える。また、制御部６１は、ＣＰＵ（Central Processing Unit）６２、ＲＯＭ（Read Only Memory）６３、ＲＡＭ（Random Access Memory）（本発明の記憶手段に相当する）６４を備える。なお、電源管理サーバ６０のハードウェア構成と、ノートＰＣ２０のハードウェア構成とはほぼ同一であるので、図３には、ノートＰＣ２０のハードウェア構成の一例も示す。図３に括弧内に付した番号は、ノートＰＣ２０の備えるハードウェアに付した番号を示している。
【００１７】
まず、制御部６１について説明する。ＲＯＭ６３には、ＣＰＵ６２が制御に使用する制御プログラムが記録されており、ＣＰＵ６２は、起動すると、制御プログラムをＲＯＭ６３から読み出してＲＡＭ６４に記憶させる。その後、ＣＰＵ６２は、ＲＡＭ６４に記憶したプログラムに従って処理を行う。ＲＡＭ６４は、ＣＰＵ６２のワークメモリとして使用され、ＣＰＵ６２が演算に使用するデータや、ＣＰＵ６２による演算後のデータ等が記憶される。ＣＰＵ６２、ＲＡＭ６４などのハードと、ＲＯＭ６３に記憶したプログラムとの協働によって実現される機能ブロックについては、図４を参照しながら後述する。
【００１８】
通信インターフェース６５は、制御部６１の制御に従って、ネットワーク１０に接続し、ノートＰＣ２０やスケジュール管理サーバ４０とデータ通信を行う。
【００１９】
操作部６６は、ユーザによって入力される操作情報を受け付ける受付部である。操作部６６で受け付けた操作情報は、入力インターフェース６７を介して制御部６１に送られる。
【００２０】
グラフィックインターフェース６８は、制御部６１で処理されたグラフィックデータを表示部６９に表示させるためのインターフェースであり、表示部６９に表示させるためにグラフィックデータを波形電気信号に変換する。
【００２１】
次に、図４を参照しながら制御部６１の機能ブロックについて説明する。機能ブロックとは、制御部６１の備えるＣＰＵ（Central Processing Unit）６２、ＲＡＭ（Random Access Memory）６４などのハードウェアと、ＲＯＭ（Read Only Memory）６３に記憶したプログラムとの協働によって実現される処理を一定の機能ごとにまとめたブロックである。制御部６１は、機能ブロックとして受信部（本発明の第１取得手段、第２取得手段、受信手段に相当する）８１、データ管理部８２、読出部８３、会議室判定部（本発明の判定手段に相当する）８４、駆動時間判定部（本発明の算出手段、検出手段に相当する）８５、電子メール生成部（本発明の通知手段に相当する）８６、送信部（本発明の通知手段に相当する）８７、電源制御部（本発明の出力手段に相当する）８８を備えている。
【００２２】
受信部８１は、ノートＰＣ２０から送信される、ノートＰＣ２０のバッテリ残電力量（％）と、商用電源接続通知と、商用電源切離通知とを受信する。商用電源接続通知とは、ノートＰＣ２０が商用電源に接続され、商用電源からの電源供給により動作を開始した場合に、ノートＰＣ２０が電源管理サーバ６０に送信する情報である。商用電源切離通知とは、ノートＰＣ２０が商用電源との接続を切り離された場合にノートＰＣ２０が電源管理サーバ６０に送信する情報である。また、受信部８１は、スケジュール管理サーバ４０から送信される会議スケジュール情報を受信する。受信部８１は、受信したバッテリ残電力量（％）、商用電源接続通知、商用電源切離通知、会議スケジュール情報等のデータをデータ管理部８２に出力する。なお、ノートＰＣ２０から通知されるバッテリ残電力量は、バッテリが最大充電可能な電力量を１００％とし、この１００％の電力量を基準としたパーセント表示で示される情報であるものとする。
【００２３】
データ管理部８２は、受信部８１が出力したデータを入力する。データ管理部８２は、入力したデータが商用電源接続通知、又は商用電源切離通知であった場合には、受信した商用電源接続通知、又は商用電源切離通知をＲＡＭ６４に出力してＲＡＭ６４に記憶させる。また、データ管理部８２は、入力したデータがバッテリ残電力量（％）、会議スケジュール情報であった場合には、入力したデータの対応付けを行ってＨＤＤ４０に格納する。データ管理部８２が、入力したデータの対応付けを行ってＨＤＤ４０に作成する管理テーブルの構成については後述する。
【００２４】
読出部８３は、各管理テーブルのデータをＨＤＤ７０から読み出して、ＲＡＭ６４に記憶させる。
【００２５】
会議室判定部８４は、ＲＡＭ６４からデータを読み出して、読み出したデータに基づき、使用予定の会議室が、会議の際にノートＰＣ２０のバッテリを使用する可能性の高い会議室であるか否かを判定する。
会議に使用される会議室は、企業規模が大きくなれば会議室の数も多くなり、また、会議室として使用されていなかった部屋が新たに会議室として使用される場合もある。このため、各会議室に設置されているプラグ受けの数を調べてデータベースに登録し管理するのは手間のかかる作業となる。また、テレビ会議装置等の会議に使用する機器が会議室に新たに設置されると、会議室で使用できるプラグ受けの数も変わってしまうので、プラグ受けの数を再度データベースに登録し直さなければならず、手間のかかる作業となる。
そこで、本実施例では、会議が行われるごとに、会議参加者の使用するノートＰＣ２０に、会議の開始前と終了後のバッテリの残電力量を計測させる。ノートＰＣ２０は、計測したバッテリの残電力量に差がある場合、会議の開始前と終了時のバッテリの残電力量を電源管理サーバ６０に送信する。
電源管理サーバ６０は、会議の終了後にノートＰＣ２０から送信される、会議の開始前と終了時のバッテリ残電力量を会議室別に集計し、各会議室がノートＰＣ２０をバッテリ駆動する可能性の高い会議室であるか否かを判定する。会議室判定部８４は、ノートＰＣ２０のバッテリ駆動が必要な会議室であると判定すると、会議室を識別する会議室ＩＤを駆動時間判定部８５に出力する。
【００２６】
駆動時間判定部８５は、会議室判定部８４から会議室ＩＤを入力すると、この会議室ＩＤが示す会議室で開かれる予定の会議に参加する各参加者の使用するノートＰＣ２０のバッテリ駆動可能時間を算出する。ノートＰＣ２０は、所定時間ごとに、当該ノートＰＣ２０のバッテリに充電された充電電力量を電源管理サーバ６０に通知している。駆動時間判定部８５は、ノートＰＣ２０から通知される、バッテリの充電電力量に基づいてバッテリ駆動可能時間を算出する。次に、駆動時間判定部８５は、各参加者のノートＰＣ２０のバッテリ駆動可能時間と、会議の予定会議時間とを比較する。そして、駆動時間判定部８５は、バッテリに充電された電力で、予定会議時間の間バッテリ駆動可能なノートＰＣ２０と、バッテリ駆動した場合に、バッテリに充電された電力では会議の途中でバッテリが尽きてしまうノートＰＣ２０とを判定する。駆動時間判定部８５は、予定会議時間の間バッテリ駆動可能なノートＰＣ２０の識別情報と、当該ノートＰＣ２０のバッテリ駆動可能時間とをＲＡＭ６４に格納する。また、駆動時間判定部８５は、会議の途中でバッテリが尽きてしまう、充電電力量が充分でないノートＰＣ２０の識別情報をＲＡＭ６４に保存すると共に、電子メール生成部８６に通知する。
【００２７】
電子メール生成部８６は、駆動時間判定部８５からノートＰＣ２０の識別情報を入力する。電子メール生成部８６は、ノートＰＣ２０の識別情報をもとにＲＡＭ６４から該当するノートＰＣ２０を使用する会議参加者の電子メールアドレスを取得する。そして、電子メール生成部８６は、取得した電子メールアドレスを送信先とし、本文に、バッテリの充電量が不足しているので充電するように指示する電子メールを作成し、生成した電子メールをＲＡＭ６４に出力して記憶させる。
【００２８】
送信部８７は、電子メール生成部８６によって生成され、ＲＡＭ６４に記憶されている電子メールを、通信インターフェース６５を介してネットワーク１０に出力する。ネットワーク１０に出力された電子メールは、会議に参加予定の社員のメールボックスを備えるメールサーバへと転送される。
【００２９】
電源制御部８８は、ＲＡＭ６４より、予定会議時間の間バッテリ駆動可能と判定されたノートＰＣ２０の識別情報を取得する。また、電源制御部８８は、ＲＡＭ６４を参照して、商用電源接続通知を出力したノートＰＣ２０の識別情報を取得する。電源制御部８８は、計時部（不図示）を備え、現在時刻が電力需要のピークとなる時間帯であると判定すると、バッテリ駆動可能と判定されたノートＰＣ２０の識別情報と、ＲＡＭ２４から取得した、商用電源接続通知を出力したノートＰＣの識別情報とを比較する。そして、電源制御部８８は、識別情報が一致しているノートＰＣ２０を検出すると、検出したノートＰＣ２０に、電源駆動からバッテリ駆動に切り替えるように指示する情報（以下、バッテリ駆動指示情報と呼ぶ）を含んだ信号を出力する。
【００３０】
次に、図５〜図８を参照しながら、データ管理部８２によって作成されるデータ管理テーブルの一例を説明する。
図５には、社員を識別する社員管理テーブルの一例を示す。社員管理テーブルは、社員を識別する社員ＩＤに、社員名と、社員が使用するノートＰＣの識別情報と、社員の電子メールアドレスとが対応付けられて登録されている。
図６には、各社員の使用するノートＰＣを管理するノートＰＣ管理テーブルの一例を示す。
ノートＰＣ管理テーブルは、ノートＰＣを識別するノートＰＣ識別情報に、ノートＰＣの製造年月日と、ノートＰＣから所定時間ごとに通知される、最新のバッテリ残電力量（％）と、ノートＰＣをバッテリ駆動させた場合に、単位時間当たりに消費されるバッテリの消費電力量（％）とが対応付けられて登録されている。なお、単位時間当たりにバッテリで消費されるバッテリ消費電力量（％）は、ノートＰＣの製造年月日等に基づいて算出され、ノートＰＣ２０のバッテリが経年劣化するごとに、値が更新される。
図７には、各会議室の利用者を管理する会議室別利用者管理テーブルの一例を示す。
会議室別利用者管理テーブルでは、会議室ＩＤに、会議室名と、過去にこの会議室で開かれた会議の参加者数及び会議の開催日付と、会議室でバッテリを利用した利用者数及び会議の開催日付と、会議室で商用電源を利用した利用者数及び会議の開催日付と、会議室で開催された会議の平均参加者数と、会議室で開催された会議でバッテリを利用した利用者数の平均値と、会議室で開催された会議で商用電源を利用した利用者数の平均値とが対応付けられて登録されている。例えば、会議室ＩＤ「ｂｊ−２５３」の会議室Ａにおいて、１月２０日に開催された会議の参加者数が１０人で、そのうちバッテリを利用した参加者が７人で、商用電源を利用した利用者が３人であることが記録されている。また、会議室Ａの例えば、１ヶ月間の平均会議参加者数が１３人で、例えば、１ヶ月間の平均バッテリ利用者数が１０人で、例えば、１ヶ月間の平均商用電源利用者数が３人であることが記録されている。
図８には、バッテリ駆動されたノートＰＣのバッテリ消費電力を会議室ごとに管理した会議室別バッテリ電力消費管理テーブルの一例を示す。
会議室別バッテリ電力消費管理テーブルでは、会議室を識別する会議室ＩＤに、会議室名と、会議室で開催された会議の参加者の使用するノートＰＣの識別情報と、会議が開かれた日付と、会議室を利用した利用時間と、この利用時間の間のバッテリ消費電力量（％）とが対応付けられて登録されている。例えば、会議室Ａで１月１８日の13：30〜15:30の間に開催された会議の参加者のノートＰＣ識別番号が「125-589-863」と、「555-666-777」であり、バッテリ電力の消費量ががそれぞれ２０％と２３％であることが記録されている。なお、この会議室別バッテリ電力消費管理テーブルでは、会議で商用電源を利用し、バッテリ電力の残電力量に変化がなかったノートＰＣのバッテリ電力は記録されない。
【００３１】
次に、各社員が使用するノートＰＣ２０について説明する。
ノートＰＣ２０のハードウェア構成は、図３に示す電源管理サーバ６０の構成と同様であるので、詳細な説明は省略する。
図９を参照しながら、ノートＰＣ２０の制御部２１の機能ブロックについて説明する。制御部２１は、機能ブロック１００として、送信部１０１、受信部１０２、バッテリ状態管理部１０３、使用電源判定部１０４を備える。なお、図９には、制御部２１の機能ブロック１００以外に、バッテリ１０５、切替部１０６、給電部１０７、被制御部１０８を示す。
【００３２】
送信部１０１は、ＲＡＭ２４に記憶された、バッテリ１０５の残電力量（％）と、ノートＰＣ２０を識別する識別情報とを通信インターフェース２５を介して電源管理サーバ６０に送信する。また、送信部１０１は、使用電源判定部１０４から送られる、商用電源接続通知、商用電源切離通知を通信インターフェース２５を介して電源管理サーバ６０に送信する。
【００３３】
受信部１０２は、電源管理サーバ６０から送信される信号を受信し、受信した信号からバッテリ駆動指示情報を取り出し、ＲＡＭ２４に記憶させる。
【００３４】
バッテリ状態管理部１０３は、バッテリ１０５の残電力量（％）を計測し、計測結果をＲＡＭ２４に記憶させる。
ＲＡＭ２４には、ノートＰＣ２０を使用する社員が操作部２６から入力した会議の開催日、開始時刻、終了時刻の情報と、ノートＰＣ２０を識別する識別情報とが記憶されている。バッテリ状態管理部１０３は、時刻を計時する計時部（不図示）を有している。バッテリ状態管理部１０３は、現在時刻が、ＲＡＭ２４に記憶された会議開催日の開始時刻（又は開始時刻よりも所定時間前（例えば、１５分前））になると、バッテリ１０５の残電力量を測定して、ＲＡＭ２４に記憶させる。また、バッテリ状態管理部１０３は、会議終了時刻（又は終了時刻の所定時間後（例えば、１５分後）になると、バッテリ１０５の残電力量を測定して、ＲＡＭ２４に記憶させる。また、バッテリ状態管理部１０３は、会議開始前に測定したバッテリの残電力量と、会議終了後に測定したバッテリの残電力量とを比較して、残電力量に所定値以上の差があるか否かを判定する。バッテリ状態管理部１０３は、残電力量に所定値以上の差があると判定すると、会議開始前と会議終了後のバッテリの残電力量を電源管理サーバ６０に送信するように送信部１０１に指示する。この場合、会議に使用された会議室では、参加者は、バッテリの電力によってノートＰＣを動作させたと判定することができる。また、バッテリ状態管理部１０３は、残電力量の差が所定値未満であると判定すると、バッテリの残電力量の電源管理サーバ６０への送信は行わない。この場合、会議に使用された会議室では、参加者は、商用電源によってノートＰＣを動作させたと判定することができる。
なお、会議の開催日、開始時刻、終了時刻の情報は、社員が直接ノートＰＣ２０の操作部２６から入力するのではなく、スケジュール管理サーバ４０からダウンロードするものであってもよい。例えば、ノートＰＣ２０は、ノートＰＣ２０の所有者の社員ＩＤをスケジュール管理サーバ４０に送って、社員ＩＤが示す社員の参加する会議の開催日、開始時刻、終了時刻の情報をスケジュール管理サーバ４０から取得する。
また、会議終了後に測定したバッテリの残電力量が会議開始前に測定したバッテリの残電力量よりも多い場合にも、参加者は、商用電源によってノートＰＣを動作させたと判定することができる。このため、バッテリ状態管理部１０３は、バッテリの残電力量が会議開始前よりも会議終了後の方が増えている場合にも、バッテリの残電力量の電源管理サーバ６０への送信は行わない。
【００３５】
使用電源判定部１０４は、ノートＰＣ２０が商用電源に接続され、商用電源からの電源供給によってノートＰＣ２０が動作している場合に、商用電源接続通知を電源管理サーバ６０に送信する。また、使用電源判定部１０４は、ノートＰＣ２０が商用電源から切り離され、バッテリ１０５の電源供給によってノートＰＣ２０が動作している場合に、商用電源切離通知を電源管理サーバ６０に送信する。また、使用電源判定部１０４は、バッテリ駆動指示情報がＲＡＭ２４に記憶されている場合に、切替部１０６を制御して、給電部１０７に供給する電力を商用電源からバッテリ１０５に切り替える。
なお、切替部１０６は、使用電源判定部１０４の制御に従って給電部１０７に給電する電力を商用電源とバッテリ１０５とで切り替える機能部である。また、給電部１０７は、切替部１０６を介して供給される電力を、制御部２１と、制御部２１の制御を受けて動作する被制御部１０８とに供給する。
【００３６】
次に、ノートＰＣ２０と電源管理サーバ６０の処理手順を説明する。
まず、図１０に示すフローチャートを参照しながら、ノートＰＣ２０が、バッテリ残電力量を測定して電源管理サーバ６０に送信する手順を説明する。
電源がオンされてノートＰＣ２０が起動すると、制御部２１は、ＲＡＭ２４を参照して、ノートＰＣ２０の使用者である社員が参加する会議の開始日と開始時刻を取得する。制御部２１は、現在時刻が、ＲＡＭ２４に記憶された会議開催日の開始時刻（又は開始時刻よりも所定時間前（例えば、１５分前））になったと判定すると（ステップＳ１）、バッテリ１０５の残電力量を測定する（ステップＳ２）。制御部２１は、測定したバッテリ１０５の残電力量をＲＡＭ２４に記憶させる。また、制御部２１は、会議終了時刻（又は終了時刻の所定時間後（例えば、１５分後）になったと判定すると（ステップＳ３／ＹＥＳ）、バッテリ１０５の残電力量を測定する（ステップＳ４）。制御部２１は、測定したバッテリ１０５の残電力量をＲＡＭ２４に記憶させる。また、制御部２１は、会議開始前に測定したバッテリの残電力量と、会議終了後に測定したバッテリの残電力量とを比較する（ステップＳ５）。制御部２１は、バッテリの残電力量の比較から、バッテリの残電力量が所定量以上減っていると判定すると（ステップＳ５／ＹＥＳ）、会議開始前と会議終了後のバッテリの残電力量に、ノートＰＣ２０の識別情報を付加して電源管理サーバ６０に送信する（ステップＳ６）。この場合、会議に使用された会議室では、会議参加者は、バッテリの電力によってノートＰＣを動作させたと判定することができる。また、制御部２１は、バッテリの残電力量の減少量が所定値未満であると判定すると（ステップＳ５／ＮＯ）、バッテリの残電力量の電源管理サーバ６０への送信は行わない。この場合、会議に使用された会議室では、会議参加者は、商用電源によってノートＰＣを動作させたと判定することができる。
なお、本手順では、会議開始前と会議終了後のバッテリの残電力量の差を求め、バッテリ残電力量の減少量が所定値以上である場合に、電源管理サーバ６０へ会議開始前と会議終了後のバッテリの残電力量を通知していた。これ以外に、ノートＰＣ２０は、会議開始前と会議終了後のバッテリの残電力量を測定し、残電力量の比較を行わずに、測定したバッテリの残電力量をそのまま電源管理サーバ６０へ送信してもよい。また、ノートＰＣ２０は、会議開始前と会議終了後のバッテリの残電力量の差を求めて、求めたバッテリの残電力量の差分を表す情報を電源管理サーバ６０へ送信してもよい。
【００３７】
ノートＰＣ２０からバッテリ残電力量の通知を受けた電源管理サーバ６０は、図７に示す会議室別利用者管理テーブルと、図８に示す会議室別バッテリ電力消費管理テーブルを更新する。ノートＰＣ２０から送信される情報には、ノートＰＣ２０の識別情報が付加されているので、電源管理サーバ６０は、会議スケジュール情報と、社員管理テーブルとを参照して該当するノートＰＣの使用者が参加している会議室ＩＤを判定する。電源管理サーバ６０は、会議室別利用者管理テーブルの、判定した会議室ＩＤが示す会議室の情報を更新する。同様に、電源管理サーバ６０は、会議室別バッテリ電力消費管理テーブルの、判定した会議室ＩＤが示す会議室の情報を更新する。
例えば、会議開始前と会議終了後のバッテリの残電力量の差が所定値以上である場合に、ノートＰＣ２０がバッテリ残電力量を電源管理サーバ６０に送信する場合について説明する。この場合、電源管理サーバ６０は、会議の終了から所定時間を経過してもバッテリ残電力量を受信しなかったノートＰＣ２０は、商用電源を使用して駆動されたノートＰＣ２０であると判断する。電源管理サーバ６０は、バッテリ残電力量を受信しなかったノートＰＣ２０の数を計算し、会議室別利用者管理テーブルの商用電源利用者数を更新する。
【００３８】
次に、図１１に示すフローチャートを参照して、電源管理サーバ６０の処理手順を説明する。
この処理手順は、会議予定の会議室が、ノートＰＣ２０をバッテリで動作させる可能性が高い会議室であるか否かを判定して、バッテリで動作させる可能性が高いと判定された会議室で会議を行う参加者にバッテリの充電を通知する手順である。また、ノートＰＣ２０のバッテリに充電された電力量が、会議予定時間の間ノートＰＣ２０をバッテリ駆動させても充分な電力量である場合に、このノートＰＣ２０が商用電源に接続した際にバッテリで動作するように指示する手順である。
【００３９】
電源管理サーバ６０の制御部６１は、スケジュール管理サーバ４０から取得し、ＲＡＭ６４に記憶されている会議スケジュール情報を参照して、本日が会議の予定日となっている会議の会議情報を取得する（ステップＳ１１）。本日が会議予定日となっている会議の会議情報がなかった場合（ステップＳ１２／ＮＯ）、制御部６１は、この処理を終了する。
また、本日が会議予定日となっている会議の会議情報がある場合（ステップＳ１２／ＹＥＳ）、制御部６１は、会議室別利用者管理テーブルを参照して、会議情報に記録された会議室ＩＤが示す会議室のデータを取得する。ここでは、制御部６１は、バッテリ利用者数の平均値をデータとして取得する。
制御部６１は、取得したデータにより、会議室ＩＤが示す会議室で過去に行われた会議において、ノートＰＣ２０をバッテリ駆動させた参加者平均人数が所定値以上であるか否かを判定する（ステップＳ１３）。バッテリ利用者数の平均値が所定値以上であれば、該当の会議室は、ノートＰＣ２０をバッテリ駆動させる可能性が高い会議室であると判定できる。すなわち、該当の会議室はプラグ受けの数が少なく、会議参加者が持ち込んだ電子機器をバッテリで動作させなければならない会議室であると判定できる。
制御部６１は、ノートＰＣ２０をバッテリ駆動させた参加者平均人数が所定値未満であった場合（ステップＳ１３／ＮＯ）、この処理を終了し、次の会議室ＩＤが示す会議室の処理に移る。また、制御部６１は、ノートＰＣ２０をバッテリ駆動させた参加者平均人数が所定値以上であった場合（ステップＳ１３／ＹＥＳ）、必要電力量の算出を行う（ステップＳ１４）。必要電力量は、会議情報から算出した会議の予定会議時間（終了時間−開始時間）と、単位時間当たりのバッテリ消費電力量との積で求めることができる。制御部６１は、必要電力量を算出すると、算出した必要電力量と、会議の参加者が使用するノートＰＣ２０のバッテリ残電力量とを比較する（ステップＳ１５）。制御部６１は、バッテリ残電力量が必要電力量よりも多い場合（ステップＳ１５／ＹＥＳ）、対象のノートＰＣ２０は、ピークシフトが可能なノートＰＣ２０であると判定する。制御部６１は、バッテリ残電力量からバッテリ駆動可能時間を算出して、対象のノートＰＣ２０の識別情報と共にＲＡＭ２４に記憶させる（ステップＳ１６）。また、制御部６１は、バッテリ残電力量が必要電力量以下である場合（ステップＳ１５／ＮＯ）、対象のノートＰＣ２０は、バッテリの充電量が不足しているノートＰＣ２０と判定する。この場合、制御部６１は、対象のノートＰＣ２０の使用者の電子メールアドレスを社員管理テーブルから取得し、取得した電子メールアドレスを送信先とし、本文に、バッテリの充電量が不足している旨を通知する電子メールを作成する（ステップＳ１７）。制御部６１は、作成した電子メールを該当する電子メールアドレス宛てに送信する。
【００４０】
制御部６１は、ステップＳ１で取得したすべての会議情報に対する処理を終了すると、現在時刻が電力需要のピークとなる時間帯であるか否かを判定する（ステップＳ１８）。制御部６１は、現在時刻が電力需要のピークとなる時間帯であると判定すると（ステップＳ１８／ＹＥＳ）、バッテリ駆動可能と判定されたノートＰＣ２０の識別情報と、商用電源接続通知を出力したノートＰＣ２０の識別情報とを比較する（ステップＳ１９）。そして、制御部６１は、識別情報が一致しているノートＰＣ２０を検出すると（ステップＳ２０／ＹＥＳ）、検出したノートＰＣ２０に、電源駆動からバッテリ駆動に切り替えるように指示するバッテリ駆動指示情報を出力する（ステップＳ２１）。ノートＰＣ２０は、バッテリ駆動指示情報を電源管理サーバ６０から取得すると、切替部１０６を制御して、給電部１０７に供給する電力を商用電源からバッテリ１０５に切り替える。
なお、ステップＳ１８で、現在時刻が電力需要のピークとなる時間帯ではないと判定すると（ステップＳ１８／ＮＯ）、制御部６１は、電力需要のピークとなる時間帯まで待機する（ステップＳ２２）。また、ステップＳ２０で、識別情報が一致しているノートＰＣ２０を検出することができなかった場合には（ステップＳ２０／ＮＯ）、制御部６１は、この処理を終了させる。
【００４１】
なお、制御部６１は、バッテリ駆動指示情報を送信したノートＰＣ２０のバッテリ駆動時間を計時している。そして、ノートＰＣ２０のバッテリ残電力量が、会議予定時間の間のバッテリ駆動に必要なバッテリ残電力量以下となる前に、商用電源への切り替え指示をノートＰＣ２０に送るようにしてもよい。
また、図１１に示すフローチャートでは、ノートＰＣ２０のバッテリ利用者数が所定値以上である場合に、会議が予定されている会議室は、ノートＰＣ２０をバッテリ駆動させる可能性が高い会議室であると判定していた。これ以外に、例えば、ノートＰＣ２０をバッテリ駆動させた参加者平均人数の割合が所定値以上であるか否かを判定して、会議室がバッテリ駆動させる可能性が高い会議室であるか否かを判定してもよい。
制御部６１は、会議室別利用者管理テーブルを参照して取得したデータにより、会議室ＩＤが示す会議室で過去に行われた会議において、ノートＰＣ２０をバッテリ駆動させた参加者平均人数の割合が所定値以上であるか否かを判定する（ステップＳ１３）。例えば、会議に参加した参加者の半数以上がノートＰＣ２０をバッテリで駆動させた場合、該当の会議室は、ノートＰＣ２０をバッテリ駆動させる可能性が高い会議室であると判定することができる。
【００４２】
また、上述したフローチャートでは、会議の参加者が使用するノートＰＣ２０のバッテリ残電力量が、算出した必要電力量よりも多い場合に、対象のノートＰＣ２０は、ピークシフトが可能なノートＰＣ２０であると判定していた。ただし、ノートＰＣ２０をバッテリ駆動させた際のバッテリの残電力量が少ないと、ノートＰＣ２０の動作に不具合が生じる可能性もある。そこで、バッテリ残電力量が、算出した必要電力量に所定電力量を加算した量よりも多い場合に、対象のノートＰＣ２０は、ピークシフトが可能なノートＰＣ２０であると判定することもできる。
【００４３】
以上、詳細に説明したように、本実施例によれば、バッテリ駆動させる可能性が高い会議室を会議前に事前に判定して、会議前に会議参加者にバッテリを充電するように通知することができる。したがって、会議室がプラグ受けの数が十分でない会議室であったとしても、会議の際にノートＰＣ２０を使用することができる。
また、バッテリ残電力量が、必要電力量よりも多いノートＰＣ２０が商用電源に接続された場合に、ノートＰＣ２０に対してバッテリで動作するように指示することができる。したがって、例えば、電力需要が多い時間帯にノートＰＣ２０をバッテリで動作させるようにすれば、ピークシフトを実現することができる。
【００４４】
上述した実施例は本発明の好適な実施の例である。但し、これに限定されるものではなく、本発明の要旨を逸脱しない範囲内において種々変形実施可能である。
例えば、上述した実施例では、バッテリ残電力量が必要電力量以下であるノートＰＣ２０に対しては、このノートＰＣ２０の使用者に、バッテリの充電量が不足している旨を電子メールで通知していた。これ以外に、電源管理サーバ６０が、ノートＰＣ２０のＩＰアドレスを取得して、会議当日に参加者がノートＰＣ２０を起動させた際に、ノートＰＣ２０の画面にバッテリの充電量が不足している旨を表示させてもよい。
また、上述した実施例では、バッテリの充電電力量が少ないノートＰＣ２０を使用する会議参加者に、ノートＰＣ２０のバッテリの充電量が不足している旨を電子メールで通知していた。この処理以外に、例えば、電源管理サーバ６０がノートＰＣ２０に、ノートＰＣ２０の消費電力を削減するように省電力設定の指示を行うこともできる。
【００４５】
なお、以上の説明に関して更に以下の付記を開示する。
（付記１）  会議に参加した参加者が使用する各携帯機器のバッテリ消費電力量であって、会議での使用により消費したバッテリ消費電力量を会議を行った会議室ごとに記憶する共に、各参加者の識別情報と該各参加者が使用する携帯機器の識別情報とを対応付けて記憶した記憶手段と、
会議スケジュールを管理するスケジュール管理装置から送信される、開催予定の会議が行われる会議室の情報と、会議の参加者の情報と、会議の予定会議時間とを会議情報として取得する第１取得手段と、
各携帯機器から通知される、携帯機器のバッテリに充電された充電電力量を取得する第２取得手段と、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定する判定手段と、
前記判定手段により携帯機器の数が所定数以上あると判定された場合に、前記会議情報を参照して前記判定した会議室での予定会議時間を求め、求めた予定会議時間の間、携帯機器をバッテリ駆動するために必要な電力量を算出する算出手段と、
前記判定した会議室で開催予定の会議に参加する参加者が使用する携帯機器であって、前記第２取得手段が取得した携帯機器の充電電力量が、前記算出手段が算出した電力量よりも少ない携帯機器を検出する検出手段と、
前記検出手段が検出した携帯機器に、当該携帯機器のバッテリの充電量が不足している旨を通知する通知手段と、
を有することを特徴とする電源管理装置。
（付記２）  前記携帯機器が商用電源に接続された際に、前記携帯機器から商用電源に接続した旨の通知を受信する受信手段と、
前記第２取得手段が取得した携帯機器の充電電力量が、前記算出手段が算出した電力量よりも多い携帯機器が商用電源に接続されたと判定すると、前記携帯機器に対しバッテリで動作するように指示する指示信号を出力する出力手段と、
を有する付記１に記載の電源管理装置。
（付記３）  コンピュータによって実行される電源管理方法であって、
会議に参加した参加者が使用する携帯機器から送信される、該携帯機器のバッテリ消費電力量であって、会議での使用により消費したバッテリ消費電力量を取得して、記憶手段に記憶させ、
会議スケジュールを管理するスケジュール管理装置から送信される、開催予定の会議が行われる会議室の情報と、会議の参加者の情報と、会議の予定会議時間とを会議情報として取得し、
各携帯機器から通知される、携帯機器のバッテリに充電された充電電力量を取得し、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、
携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、
前記判定した会議室で開催予定の会議に参加する参加者が使用する携帯機器であって、携帯機器から取得した充電電力量が、算出した電力量よりも少ない携帯機器を検出し、
検出した携帯機器に、当該携帯機器のバッテリの充電量が不足している旨を通知する電源管理方法。
（付記４）  前記携帯機器が商用電源に接続された際に、前記携帯機器から商用電源に接続した旨の通知を受信し、
携帯機器から取得した携帯機器の充電電力量が、算出した電力量よりも多い携帯機器が商用電源に接続されたと判定すると、前記携帯機器に対しバッテリで動作するように指示する指示信号を出力する、付記３に記載の電源管理方法。
（付記５）  会議に参加した参加者が使用する携帯機器から送信される、該携帯機器のバッテリ消費電力量であって、会議での使用により消費したバッテリ消費電力量を取得して、記憶手段に記憶させ、
会議スケジュールを管理するスケジュール管理装置から送信される、開催予定の会議が行われる会議室の情報と、会議の参加者の情報と、会議の予定会議時間とを会議情報として取得し、
各携帯機器から通知される、携帯機器のバッテリに充電された充電電力量を取得し、
前記会議情報を参照して会議を開催予定の会議室を判定し、判定した会議室で過去に行われた会議において参加者が使用した携帯機器のバッテリ消費電力量を前記記憶手段から取得して、取得したバッテリ消費電力量が所定量以上の携帯機器の数が所定数以上あるか否かを判定し、
携帯機器の数が所定数以上あると判定された場合に、前記会議情報を参照して前記判定した会議室での予定会議時間を求め、求めた予定会議時間の間、携帯機器をバッテリ駆動するために必要な電力量を算出し、
前記判定した会議室で開催予定の会議に参加する参加者が使用する携帯機器であって、携帯機器から取得した充電電力量が、算出した電力量よりも少ない携帯機器を検出し、
検出した携帯機器に、当該携帯機器のバッテリの充電量が不足している旨を通知する、処理をコンピュータに実行させるプログラム。
（付記６）  前記携帯機器が商用電源に接続された際に、前記携帯機器から商用電源に接続した旨の通知を受信し、
携帯機器から取得した携帯機器の充電電力量が、算出した電力量よりも多い携帯機器が商用電源に接続されたと判定すると、前記携帯機器に対しバッテリで動作するように指示する指示信号を出力する、処理をコンピュータに実行させる付記５に記載のプログラム。
【符号の説明】
【００４６】
２０  ノートＰＣ                  ８１  受信部
３０  電源管理サーバ              ８２  データ管理部
３１  制御部                      ８３  読出部
４０  スケジュール管理サーバ      ８４  会議室判定部
６０  電源管理サーバ              ８５  駆動時間判定部
６１  制御部                      ８６  電子メール生成部
６５  通信インターフェース        ８７  送信部
６６  操作部                      ８８  電源制御部
６７  入力インターフェース
６８  グラフィックインターフェース
６９  表示部
【図１】
0005838867.tif 000002
【図２】
0005838867.tif 000003
【図３】
0005838867.tif 000004
【図４】
0005838867.tif 000005
【図５】
0005838867.tif 000006
【図６】
0005838867.tif 000007
【図７】
0005838867.tif 000008
【図８】
0005838867.tif 000009
【図９】
0005838867.tif 000010
【図１０】
0005838867.tif 000011
【図１１】
0005838867.tif 000012